(57)【特許請求の範囲】
【請求項１】
座板を有し、この座板を軸を介して使用位置と跳ね上げ位置との間で回動させ得るようにした椅子であって、
左右対をなす側フレームとこれら両側フレームを結合する後フレームとを備えてなり、この後フレームに少なくとも上方に延びる延出部を設け、その延出部に前記軸を支持させているものであり、
前記延出部が、後上方に延びる対をなすブラケットであり、これらブラケットに前記軸を回転可能に設けていることを特徴とする椅子。
【請求項２】
前記延出部が、後上方に延びる対をなすブラケットであり、これらブラケット間に前記軸を回転可能に架設している請求項１記載の椅子。
【請求項３】
前記延出部が、前記後フレームの中間部に設けられたものであり、前記軸が前記後フレームの長手方向寸法よりも短寸なものである請求項１又は２記載の椅子。
【請求項４】
前記座板の裏面に、前記軸を包囲する目隠し部を設けている請求項１、２又は３記載の椅子。
【請求項５】
前記座板が後端部に反り上がり部を有したものであり、前記目隠し部がその後端部を前記反り上がり部に対応させて上下方向寸法を大きく設定したものであり、前記軸が前記反り上がり部の下方に位置している請求項４記載の椅子。
【請求項６】
前記座板を跳ね上げ位置に保持した状態で同一構造をなす他の椅子と前後方向にスタッキングし得るように構成されている請求項１、２、３、４又は５記載の椅子。
【発明の詳細な説明】
【技術分野】
【０００１】
本発明は、学校用または事務用等として好適に使用される椅子に関する。
【背景技術】
【０００２】
従来から、この種の椅子として、座板を直接又は間接的に軸を介して椅子本体に取り付け、座板を使用位置と跳ね上げ位置との間で回動させ得るようにした椅子が知られている（例えば特許文献１参照）。
【０００３】
ところで、特にいわゆるパイプ椅子などの分野においては、座を回動可能に支持するために軸が設けられているものが一般的である。この軸は、座の外側に左右に突出して設けられ、座の側部に配された前脚や後脚を構成するフレームに枢支されるようにしている。このため、かかる構成の椅子では、軸の枢着部分が椅子の側部に配されることとなり、軸の枢着部分が外部に露出し易い構成とならざるを得ない。換言すれば、従来の椅子においては、軸の配置箇所が限られており、設計の自由度が制限されるものとなっていた。
【０００４】
また、軸の枢着部分が外部に露出する構成である場合、使用者が指や被服を挟むおそれが高いものとなっていた。
【先行技術文献】
【特許文献】
【０００５】
【特許文献１】特開２００６−１５８７４６号公報
【発明の概要】
【発明が解決しようとする課題】
【０００６】
本発明は、以上のような事情に着目してなされたもので、座板を軸を介して回動可能に支持するものにおいて、設計の自由度に優れた椅子を提供することを目的とする。
【課題を解決するための手段】
【０００７】
すなわち、本発明の椅子は、以下の構成をなしたものである。
【０００８】
請求項１に係る椅子は、座板を有し、この座板を軸を介して使用位置と跳ね上げ位置との間で回動させ得るようにした椅子であって、左右対をなす側フレームとこれら両側フレームを結合する後フレームとを備えてなり、この後フレームに少なくとも上方に延びる延出部を設け、その延出部に前記軸を支持させているものであり、前記延出部が、後上方に延びる対をなすブラケットであり、これらブラケットに前記軸を回転可能に設けているものである。
【０００９】
請求項２に係る椅子は、請求項１の構成において、前記延出部が、後上方に延びる対をなすブラケットであり、これらブラケット間に前記軸を回転可能に架設しているものである。
【００１０】
請求項３に係る椅子は、請求項１又は２記載の構成において、前記延出部が、前記後フレームの中間部に設けられたものであり、前記軸が前記後フレームの長手方向寸法よりも短寸なものである。
【００１１】
請求項４に係る椅子は、請求項１、２、又は３記載の構成において、前記座板の裏面に、前記軸を包囲する目隠し部を設けているものである。
【００１２】
請求項５に係る椅子は、請求項４記載の構成において、前記座板が後端部に反り上がり部を有したものであり、前記目隠し部がその後端部を前記反り上がり部に対応させて上下方向寸法を大きく設定したものである。
【００１３】
請求項６に係る椅子は、前記座板を跳ね上げ位置に保持した状態で同一構造をなす他の椅子と前後方向にスタッキングし得るように構成されているものである。
【発明の効果】
【００１４】
本発明によれば、座板を軸を介して回動可能に支持するものにおいて、設計の自由度に優れた椅子を提供することができる。
【図面の簡単な説明】
【００１５】
【図１】本発明の一実施形態である椅子の斜視図。
【図２】同実施形態における正面図。
【図３】同実施形態における左側面図。
【図４】同実施形態における背面図。
【図５】同実施形態における平面図。
【図６】図２におけるＡ−Ａ線部分拡大断面図。
【図７】同実施形態における座板を跳ね上げた状態の正面図。
【図８】同実施形態における座板を跳ね上げた状態の斜視図。
【図９】同実施形態における座板の回動態様を示す説明図。
【図１０】同実施形態における背板の取付態様を示す部分拡大断面図。
【図１１】同実施形態におけるネスティングの態様を示す左側面図。
【発明を実施するための形態】
【００１６】
以下、本発明の一実施形態を、図１〜図１１を参照して説明する。
【００１７】
この実施形態は、本発明を前後方向にスタッキング可能な椅子１、換言すれば水平方向にネスティング可能な椅子１に適用したものである。すなわち、本実施形態に係る椅子１は、図１１に具体的に示すように、収納時などに、座板３を跳ね上げ位置（Ｊ）に保持することによって同一構造をなす他の椅子１’と前後方向に近接させて少ないスペースで多くの椅子を収納し得るように構成されているものである。なお、図１１では、他の椅子の符号を「１’」としているが、同一構造をなすものであるため、他の符号は椅子１のものと同様のものを付している。
【００１８】
椅子１は、椅子本体２に座板３及び背板４を支持させてなるものであり、より詳しくは、座板３を支持する支持フレーム２６を有した椅子本体２を具備してなるものであり、この支持フレーム２６の軸着部たる軸２６２を介して座板３を使用位置（Ｕ）と跳ね上げ位置（Ｊ）との間で回動させ得るようにしたものである。座板３の回動操作は、基本的には、使用者等が座板３の周縁部分を持って上下動させることにより行われる。
【００１９】
以下、椅子１の各構成について詳述する。
【００２０】
椅子本体２は、金属パイプ材を主体に構成されたものである。椅子本体２は、下端にキャスタ２１１を有した左右の前脚２１と、下端にキャスタ２２１を有した左右の後脚２２と、これら後脚２２の上端と前脚２１の上端とをそれぞれ繋ぐ左右の側フレーム２４と、これら左右の側フレーム２４の前端近傍部間に架設され両側フレーム２４同士を結合する前フレーム２５と、左右の側フレーム２４の後端近傍部間に架設され両側フレーム２４同士を結合する後フレーム２３と、この後フレーム２３に回転可能に支持させた支持フレーム２６と、前記後脚２２の上端から上方に延出する左右の背フレーム２７とを備えてなる。
【００２１】
前脚２１と側フレーム２４とは、共通の金属パイプ材を曲げることにより一体に構成されたもので、側フレーム２４の後端は後脚２２の上端に溶接等により剛結されている。しかして、前脚２１、後脚２２、側フレーム２４、前フレーム２４、後フレーム２３、支持フレーム２６、及び背フレーム２７は、座板３及び背板４に作用する着座者の荷重を受けることが可能な強度を備えている。そして、椅子本体２を構成する支持フレーム２６に座板３を支持させており、例えば図９に示すように、座板３が床面に対して略平行になる使用位置（Ｕ）と座板３が背板４に対して略平行になる跳ね上げ位置（Ｊ）との間で回動し得るようになっている。また、図２、図４、及び図７に示すように、左右の前脚２１間の距離すなわち幅寸法は、左右の後脚２２間の距離よりも小さく設定されているため、座板３を跳ね上げた状態で同一の構造をなす他の椅子１’とネスティング可能になっている。すなわち、図１１を例に説明すれば、椅子１と、この椅子１の後にある他の椅子１’とを相互に相寄る方向に移動させることにより、まずは、椅子１における左右の後脚２２の内側に他の椅子１’の左右の前脚２１を通過させ、その後更に移動させることにより椅子１における前脚２１の後部と椅子１’における前脚２１の前部とが近接した状態で向かい合うように位置させることで、椅子１と他の椅子１’とのネスティングを可能にしている。後脚２２における左右の側フレーム２４との結合部分の近傍には、ネスティング時に他の椅子１’の側フレーム２４の外側部分が当接し得る当たり部２２２が設けられている。
【００２２】
前フレーム２５は、左右の側フレーム２４の中央部分よりも前方の部分間に架設されてなる直線状の金属パイプ材を主体にしてなるもので、後述する支持フレーム２６の横架材２６３が使用位置（Ｕ）において前フレーム２５の上面に当接するようになっている。すなわち、座板３は、支持フレーム２６の横架材２６３が前フレーム２５に直接当接することにより、使用位置（Ｕ）に保持されるように構成されている。
【００２３】
後フレーム２３は、左右の側フレーム２４間に架設された金属パイプ材を主体に構成された略一直線状をなす後フレーム本体２３１と、この後フレーム本体２３１の中間部に配された延出部たるブラケット（以下、「取付ブラケット」という。）２３２を備えている。
【００２４】
延出部である取付ブラケット２３２は、後フレーム本体２３１の左右方向中間部すなわち後フレーム本体２３１における両側フレーム２４との結合部分よりも内側の部分に配されている。取付ブラケット２３２は左右一対をなしており、後フレーム本体２３１の上面部分から上方に延出してなるもの、より具体的には後フレーム本体２３１の上面部分から斜め後ろ上方に延出してなるものである。
【００２５】
取付ブラケット２３２の基端部は溶接等によって後フレーム本体２３１に取り付けられている。しかして、取付ブラケット２３２は後フレーム本体２３１に片持ち的に支持されている。一方、取付ブラケット２３２の先端部には、支持フレーム２６の軸２６２を回転可能に支持するための軸受部２３２ａを備えており、左右の取付ブラケット２３２間に軸２６２を回転可能に架設している。この軸受部２３２ａは軸孔を主体に構成されたものである。換言すれば、本実施形態に係る椅子１は、後フレーム２３の取付ブラケット２３２に、支持フレーム２６の軸２６２を回転可能に支持させており、これによって支持フレーム２６に支持された座板３を使用位置（Ｕ）と跳ね上げ位置（Ｊ）との間で回転可能なものとしている。
【００２６】
取付ブラケット２３２の軸受部２３２ａは、支持フレーム２６の軸２６２の両端部分を支持するように構成されている。取付ブラケット２３２は、側面視において後側の上下方向中間部分に前方に向けて凹んだ形状をなす凹陥部２３２ｂが形成されており、換言すれば、取付ブラケット２３２は、側面視において略くの字形状をなすものである。しかして、座板３が跳ね上げ位置（Ｊ）にあるときは、後述する座板３の後部下面に配された目隠し部３２２の端縁部分が凹陥部２３２ｂの近傍に位置するようになっている。すなわち、取付ブラケット２３２に凹陥部２３２ｂを形成することにより、図８や図９に示されるように、座板３が跳ね上げ位置（Ｊ）にある際に、取付ブラケット２３２と座板３の目隠し部３２２とが干渉しないようにしてあり、座板３が無理なく跳ね上げ位置（Ｊ）に位置できるようにしている。
【００２７】
より詳しく言えば次の通りである。すなわち、後上方に向けて延びる取付ブラケット２３２の上端部分において支持される軸２６２は、座板本体３１の下面であって、且つ、座板本体３１の後端縁よりも内側、すなわち前側の位置に配されるようにしてあるため、座板３が跳ね上げ位置（Ｊ）に回動することによって座板３の後端部分が軸２６２よりも下方に位置することとなる。この際に、座板３の座板本体３１から下方に突出してなり、座板３が使用位置（Ｕ）にある場合において、詳しくは後述する軸２６２の側部を覆っている目隠し部３２２の後部３２２ｃ（図４を参照）が、座板３が跳ね上げ位置（Ｊ）に回動すると軸２６２の下部に位置することとなる。このため、取付ブラケット３２２が後上方に延びてなるとともにその上端部分に軸受部２３２ａを有するものとし、さらに取付ブラケット２３２の後部における上下方向中間部分に凹陥部２３２ｂを備えたものとしている本実施形態に係る構成においては、目隠し部３２２が座板本体３１から下方に突出した形状であっても、目隠し部３２２が回動の妨げとなることなく、結果として、座板３の全体を自由に回動させることができるものとなる。
【００２８】
次に、座板３を支持する支持フレーム２６について述べる。
【００２９】
支持フレーム２６は、枠状をなす支持フレーム本体２６１と、この支持フレーム本体２６１の後端部に設けられた軸２６２と、支持フレーム本体２６１の前後方向中間部に設けられた横架材２６３とを備えたものである。
【００３０】
支持フレーム本体２６１は、底面視において野球のホームベースの外縁形状に近似した枠体の形状をなしており、具体的には、座板３の前下面に配される前支持フレーム２６１ａと、この前支持フレーム２６１ａの両端部から連続してなり座板３の左右側部の下面に配される側支持フレーム２６１ｂと、これら両側の側支持フレーム２６１ｂのそれぞれ後端部から連続してなり座板３の後下面に配される後支持フレーム２６１ｃとを具備したものである。前支持フレーム２６１ａ及び側支持フレーム２６１ｂの上面は、座板３に直接当接するようになっている。また、側支持フレーム２６１ｂの内側面には座板３を取り付けるためのブラケットｂが突設されている。後支持フレーム２６１ｃは左右対をなすもので、後支持フレーム２６１ｃを構成する対をなすフレーム同士の間隔が後方に向かうにつれて漸次幅狭になるように形成された傾斜部２６１ｄと、これら傾斜部２６１ｄにそれぞれ連続して形成され左右方向に延びる後端フレーム部２６１ｅとを備えている。後端フレーム部２６１ｅの後端面は、左右方向に略一直線状に延びる軸２６２の左右方向中間部分と連結している。
【００３１】
軸２６２は、金属パイプ材を主体に構成されたものである。軸２６２は、その左右両端部を後フレーム２３の取付ブラケット２３２に軸受部２３２ａを介して回動可能に支持されている。しかして、支持フレーム２６の支持フレーム本体２６１に支持された座板３は、支持フレーム２６の軸２６２を介して使用位置（Ｕ）と跳ね上げ位置（Ｊ）との間で回動し得るようになっている。本実施形態では、軸２６２の長手方向寸法が、後フレーム本体２３１の長手方向寸法よりも短寸に設定されている。
【００３２】
前支持フレーム２６１ａにおける直線状をなす部分は、座板３の前端縁と略平行であり、側支持フレーム２６１ｂにおける直線状をなす部分は、座板３の左右側端縁と略平行に配されている。また、後支持フレーム２６１ｃの後端フレーム部２６１ｅにおける直線状をなす部分は、前支持フレーム２６１ａにおける直線状をなす部分と略平行になるように形成されている。
【００３３】
本実施形態においては、前支持フレーム２６１ａと側支持フレーム２６１ｂと後支持フレーム２６１ｃとは、共通の金属パイプ材を所定箇所で曲げることにより形成されたものとなっており、換言すれば、支持フレーム本体２６１を構成する各支持フレーム２６１ａ、２６１ｂ、２６１ｃは曲げ部分を介して連続してなるものである。
【００３４】
支持フレーム本体２６１を形成する金属パイプ材の両端部分、換言すれば、後支持フレーム２６１ｃにおける開放された端縁、すなわち、後支持フレーム２６１ｃにおける左右の後端フレーム部２６１ｅの小口端面は、互いに一定間隔を開けて向き合うように位置している。しかして、後端フレーム部２６１ｅの後面部分と、後端フレーム部２６１ｅと略平行に配されてなる軸２６２の前面部分とが溶接により取り付けられている。かかる構成により、支持フレーム本体２６１と、支持フレーム本体２６１に取り付けられた軸２６２の一部とによって、ループ状に連続してなる部分が形成されており、強度に優れたものとなっている。換言すれば、支持フレーム２６が閉塞ループを形成したフレーム構造を有しているので強度に優れたものとなっている。
【００３５】
横架材２６３は、使用位置（Ｕ）において前フレーム２５に支持されるように構成されている。横架材２６３は使用位置（Ｕ）において、正面視において中央部分を下方に突出させた形状をなしている。換言すれば、横架材２６３は、使用位置（Ｕ）において正面視下方に凸をなす隆起部分を備えたものである。詳述すると、横架材２６３は、金属パイプ材を主体に構成された隆起部ｒを有した横架材本体２６３ａと、この横架材本体２６３ａの左右方向中間部位に取り付けられた当接部材２６３ｂを備えたものである。横架材本体２６３ａは、正面視において左右方向中間部分が下方に膨出した形状をなしており、この横架材本体２６３ａの膨出部分に樹脂製の当接部材２６３ｂが止着具たるねじにより取り付けられている。当接部材２６３ｂは、使用位置（Ｕ）において前フレーム２５に当接するものであり、図６の断面図等に詳しく示されるように、当接面が形成される下面は、前フレーム２５の形状に対応した形状、すなわち前フレーム２５のパイプフレーム形状に対応させて凹んだ形状となっている。
【００３６】
以上に詳述した椅子本体２は、換言すれば、座板３とともに回動可能な支持フレーム２６と、支持フレーム２６以外の構成要素からなるベース部Ｂとを備えてなるものである。すなわち、ベース部Ｂは、金属パイプ材を主体に構成されてなるもので、下端にキャスタ２１１を有した左右の前脚２１と、下端にキャスタ２２１を有した左右の後脚２２と、これら後脚２２の上端と前脚２１の上端とをそれぞれ繋ぐ左右の側フレーム２４と、これら左右の側フレーム２４の前端近傍部間に架設され両側フレーム２４同士を結合する前フレーム２５と、左右の側フレーム２４の後端近傍部間に架設され両側フレーム２４同士を結合する後フレーム２３と、後脚２２の上端から上方に延出する左右の背フレーム２７とを備えてなる。しかして、本実施形態に係る椅子１は、座板３及び軸２６２を有した支持フレーム２６を、軸２６２を介して、ベース部Ｂに対して使用位置（Ｕ）と跳ね上げ位置（Ｊ）との間で回動させ得るようにしている。
【００３７】
次に、座板３について詳述する。
【００３８】
座板３は、板状をなす座板本体３１と、この座板本体３１の裏面すなわち下面に設けられ支持フレーム２６と係わり合う支持フレーム係合部３２とを備えてなるものである。座板３は、樹脂により一体に成形されている。
【００３９】
座板本体３１は、中間領域に複数の貫通孔３１１を備えたものである。貫通孔３１１は、図５に示すように、座板本体３１の前縁部分においては直線状に配列されているとともに、後縁部分においては弧を描くように配列されており、中間部分は前から後ろに向かって漸次曲率が大きくなるようにして弧を描くように配列されている。なお、支持フレーム２６を構成する前支持フレーム２６１ａは、略直線状に配されている前側一列目の貫通孔３１１と、前側２列目の貫通孔３１１との間に配されており、例えば図５により明らかなように、座板３を上から見た場合に前支持フレーム２６１ａが貫通孔３１１を通して視認されないようにして、意匠性を向上させている。
【００４０】
貫通孔３１１の大きさは、座板本体３１の前縁部分から後縁部分に向かって漸次大きくなるように設定されている。各貫通孔３１１は、図６に示すように、上半部に設けた円筒部分３１１ａと下半部に設けられ下方に向かって拡開する円錐部分３１１ｂとを備えたもので、円筒部分３１１ａと円錐部分３１１ｂとの境界部分には、座板３の上面部分から視認可能な稜線が形成されている。
【００４１】
座板本体３１は、その前端部分が下方に垂れ下がった形状をなしているとともに、後端部分が上方に反り上がった形状をなしている。すなわち、座板本体３１は、前端部分に下方に垂れ下がった垂れ下がり部３１２と、後端部分に上方に反り上がった反り上がり部３１３とを備えている。本実施形態では、支持フレーム２６の軸２６２が反り上がり部３１３の下方に位置するようにしている。座板本体３１における軸２６２の端部周辺、すなわち、後フレーム２３の取付ブラケット２３２の外側近傍には、図示しない立壁部が設けられ、軸２６２の近傍に手指等が接近することを回避している。
【００４２】
なお、例えば、後支持フレーム２６１ｃを上下方向に押圧して扁平に形成したり縦断面を楕円形状に形成したりして、座板３が使用位置（Ｕ）にある際に、後支持フレーム２６１ｃと後上方に延出する取付ブラケット２３２の前部との間を離間させるように構成すれば、後支持フレーム２６１ｃと取付ブラケット２３２との間により大きな隙間が形成されるものとなり、使用者の手指等が挟まることを好適に抑制し得るものとなる。
【００４３】
座板３の周縁部、すなわち座板本体３１の周縁部は、椅子本体２のベース部Ｂと離間するように構成されている。より具体的には、本実施形態に係る椅子１は、使用位置（Ｕ）において、座板本体３１の周縁部の全域と、ベース部Ｂとが、一定間隔をあけて離間するように構成されており、使用者等の手指や被服が座板３の下面側において挟まれにくいようにしている。前後方向に延びる側フレーム２４と座板３の側縁部との間、並びに、側フレーム２４と支持フレーム本体２６１との間は上下方向に離間するように構成されている。
【００４４】
支持フレーム係合部３２は、支持フレーム本体２６１の上面側と当接するリブ状の支持フレーム受け部３２１と、支持フレーム本体２６１及び軸２６２の外面側に位置してなり、支持フレーム２６を包囲する目隠し部３２２と、座板本体３１の下面に設けられ支持フレーム２６に設けられたブラケットｂを介してねじ止めされる取付部３２３とを備えたものである。
【００４５】
支持フレーム受け部３２１は、支持フレーム本体２６１の長手方向に対して直交する方向に延びる複数のリブであり、座板本体３１における支持フレーム本体２６１の上面に対応させて所定の間隔をあけて複数配されたものである。具体的には、支持フレーム受け部３２１は、支持フレーム本体２６１の前支持フレーム２６１ａと側支持フレーム２６１ｂの上面に対応させて所定の間隔をあけて複数配されている。
【００４６】
目隠し部３２２は、座板本体３１から下方に突出し、本実施形態においては、側面視において支持フレーム本体２６１及び軸２６２の外面側を包囲してなるもので、連続した壁状のものである。ここで、「包囲する」とは、周囲を取り囲むという意味であり、例えば、本実施形態に示すように側面視において支持フレーム本体２６１及び軸２６２における厚み方向の略半分を外側から覆うもののほか、少なくとも座板本体３１の下面と支持フレーム本体２６１及び軸２６２との間の隙間を覆い隠すものであれば「包囲する」ものに該当する。
【００４７】
目隠し部３２２は、支持フレーム本体２６１の前側に位置してなり支持フレーム本体２６１を覆う前部３２２ａと、支持フレーム本体２６１の左右の外側に位置してなり支持フレーム２６１を覆う側部３２２ｂと、支持フレーム本体２６１の後側に位置してなるとともに軸２６２の左右の外側及び後側に位置してなり、支持フレーム２６１及び軸２６２を覆う後部３２２ｃとを具備してなる。目隠し部３２２の一部、具体的には、目隠し部３２２の前部３２２ａ及び側部３２２ｂは、支持フレーム本体２６１の前面と左右側面に添設するように設けられており、支持フレーム２６と座板３とを取り付ける際には、目隠し部３２２の内側面の一部が前支持フレーム２６１ａの外面と側支持フレーム２６１ｂの外面と添設し、位置決め機能を発揮するように構成されている。
【００４８】
目隠し部３２２は、反り上がり部３１３を有した座板本体３１に対応させて目隠し部３２２の後側の上下方向寸法を目隠し部３２２の前側の上下方向寸法よりも大きく設定している。換言すれば、座板３に形成された目隠し部３２２における後部３２２ｃの上下方向寸法は、目隠し部３２２における前部３２２ａ及び側部３２２ｂの上下方向寸法よりも大きく設定されている。より詳しく言えば、目隠し部３２２の後部３２２ｃは、反り上がり部３１３を有した座板本体３１に対応させて、側面視においてその上下方向寸法を後方に向かうにつれて漸次大きくなるように形成されている。座板本体３１に配された目隠し部３２２の前部３２２ａと、側部３２２ｂと、後部３２２ｃとは、側面視においてそれらの下端部分が略水平に連続して視認されるように高さ寸法を変えている。しかして、座板３は、座板本体３１の下方領域と目隠し部３２２の内側領域とによって、軸２３２を収容できる空間Ｋを形成している。より詳しく言えば、座板３は、座板本体３１の反り上がり部３１３の下方領域と目隠し部３２２の後部３２２ｃの内側領域とによって、軸２３２及び取付ブラケット２３２の軸受部２３２ａの略全体を収容することができる囲まれた空間Ｋを備えている。なお、座板本体３１から下方に突設された目隠し部３２２の下端縁は側面視において略水平に形成されている。
【００４９】
取付部３２３は、座板本体３１の下面に設けられている。取付部３２３は、板ナットを配することができる板ナット収容室（図示ぜず）を備えたものであり、この板ナット収容室に配される板ナット（図示せず）に対し、支持フレーム本体２６１に形成されたブラケットｂのねじ挿通孔を通過させたねじｎが螺合し、支持フレーム２６と座板３とが相互に取り付けられるようになっている。
【００５０】
背板４は、背板本体４１と、この背板本体４１の左右両側部に一体に設けられた取付部４２とを備えたもので、取付部４２は、背板本体４１の下縁よりも下方に延出させてある。そして、取付部４２に形成された下方に開口する取付孔４２１を背フレーム２７に嵌め合わせることによって、背板４を椅子本体２に支持させている。背フレーム２７は、その上端が背板本体４１の中央部における下縁４１１とほぼ同一高さ位置に達するまで取付孔４２１に挿入され固定されている。また、背板本体４１は、図５に示すように平面視において中央部が後方に膨出するように湾曲した形状をなしている。
【００５１】
本実施形態に係る椅子１は、座板３を軸２６２により回動可能に支持された支持フレーム２６によって支持する構成としており、この支持フレーム２６は、前述したように、椅子本体２における支持フレーム２６を除いた部分であるベース部Ｂにより回動可能に支持されている。そして、座板３が使用位置（Ｕ）にある場合は、支持フレーム２６が、ベース部Ｂを構成する後フレーム２３の中間部２箇所と、前フレームの中間部１箇所のみによって支持されるようにしている。このため、本実施形態に示す椅子１は、座板３の外縁部が支持フレーム２６の外縁部よりも外側に延出してなるとともに、座板３の外縁部とベース部Ｂとの間が全域において上下方向に離間している構造をなしており、使用者の手指や衣服が支持フレーム２６とベース部Ｂとの間で挟まれることを好適に抑制できるようにしている。
【００５２】
以上説明したように、本実施形態に係る椅子１は、座板３を有し、この座板３を軸２６２を介して使用位置（Ｕ）と跳ね上げ位置（Ｊ）との間で回動させ得るようにした椅子１であって、左右対をなす側フレーム２４とこれら両側フレーム２４を結合する後フレーム２３とを備えてなり、この後フレーム２３に上方に延びる延出部である取付ブラケット２３２を設け、その取付ブラケット２３２に軸２６２を支持させているようにしているため、軸２６２の位置を後フレーム本体２３１とは離れた位置に設けることができ、座板３を軸２６２を介して回動可能に支持するものにおいて設計の自由度に優れた椅子を提供することができる。
【００５３】
延出部である取付ブラケット２３２が、後上方に延びる対をなすものであり、これら取付ブラケット２３２間に軸２６２を回転可能に架設しているので、軸２６２を確実に保持できるとともに、目隠し部３２２を下方に突設させてなる座板３の後部を無理なく回動可能に支持するものとなる。
【００５４】
延出部である取付ブラケット２３２が、後フレーム本体２３１の中間部に設けられたものであり、軸２６２が後フレーム本体２３１の長手方向寸法よりも短寸なものであるため、軸２６２の両端部が座板３の端縁よりも内側に位置することとなり、座板３の回動に伴って軸２６２の周辺で手指や衣服が挟まれるのを好適に抑制するものとなる。
【００５５】
座板本体３１の裏面に、軸２６２を包囲する目隠し部３２２を設けているので、軸２６２が外側から見えにくくなり、外観に優れたものとなるとともに、座板３の回動に伴って軸２６２の周辺で手指や衣服が挟まれるのを好適に抑制するものとなる。
【００５６】
座板本体３１が後端部に反り上がり部３１３を有したものであり、目隠し部３２２がその後端部を反り上がり部３１３に対応させて上下方向寸法を前端部よりも大きく設定したものであり、軸２６２が反り上がり部３２２の下方に位置しているので、反り上がり部３２２の下方に位置した軸２６２を目隠し部３２２により、外部から見えにくい構成とすることができる。
【００５７】
本実施形態に係る椅子１は、座板３を跳ね上げ位置（Ｊ）に保持した状態で同一構造をなす他の椅子１’と前後方向にスタッキングし得るように構成されているため、複数の椅子１（１’）を使用しない場合には、効率よく片づけておくことができる。
【００５８】
支持フレーム２６が、左右方向中間部を下方に突出してなる隆起部ｒを有した横架材２６３を備え、この横架材２６３の隆起部ｒが前フレーム２５の左右方向中間部分に支持されるようしているので、支持フレーム本体２６１と側フレーム２４との間が上下方向に離間し、使用者の手指や衣服等が挟まれてしまうことを好適に抑制するものとなる。
【００５９】
椅子本体２が、左右の側フレーム２４と、これら両側フレーム２４同士を結合する前フレーム２５及び後フレーム２３とを備えたものであり、前記後フレーム２３が上方に延出する取付ブラケット２３２を備えており、この取付ブラケット２３２に軸２６２を支持させているものであるため、目隠し部３２２により軸２６２を包囲して隠す構成を容易に実現することができる。
【００６０】
椅子本体２を構成する支持フレーム２６が、枠状をなす支持フレーム本体２６１と、この支持フレーム本体２６１の後端部に設けられた軸２６２と、支持フレーム本体２６１の前後方向中間に架設された横架材２６３とを備えたものであり、使用位置（Ｕ）において横架材２６３が前フレーム２５に支持されるように構成されているので、着座者の荷重を適切に支持するものとなる。
【００６１】
座板本体３１が支持フレーム本体２６１により支持されているので、板状の座板本体３１が支持フレーム本体２６１にバックアップされ、座板本体３１の厚み寸法を小さなもの、すなわち座板本体３１を薄肉なものとすることができる。しかも、座板本体３１を薄肉にできるため、樹脂により成型された座板本体３１に一定の弾性変形が許容されることとなり、着座者が着座する際に一定のクッション性を帯びたものとなる。
【００６２】
座板３が、座板本体３１の下方領域と目隠し部３２２の内側領域とによって、軸２３２を収容できる空間Ｋを形成しているので、軸２３２を外部に表出しにくいものとできるとともに、軸２３２を空間Ｋに収容することにより、軸２３２の周囲において、使用者の手指や衣服等が挟まれてしまうことを好適に抑制するものとなる。
【００６３】
座板本体３１が前部に垂れ下がり部３１２を設けるとともに後部に反り上がり部３１３を設けているので、垂れ下がり部３１２が着座者の大腿や膝裏に好適に対応するとともに反り上がり部３１３が着座者の臀部に対応し、好適な座り心地を提供することができる。
【００６４】
座板本体３１は、中間領域に複数の貫通孔３１１を備えたものであり、貫通孔３１１は、座板本体３１の前縁部分においては直線状に配列されているとともに、後縁部分においては弧を描くように配列されており、中間部分は前から後ろに向かって漸次曲率が大きくなるようにして弧を描くように配列されているので、意匠性に優れた座板３とすることができる。
【００６５】
座板３を支持する支持フレーム本体２６１の前支持フレーム２６１ａは、座板本体３１に略直線状に配されている前側一列目の貫通孔３１１と、前側２列目の貫通孔３１１との間に配されており、座板３を上から見た場合に前支持フレーム２６１ａが貫通孔３１１を通して視認されないようにしているため、外観に優れたものとなる。
【００６６】
樹脂製の座板３に形成された貫通孔３１１の大きさは、座板本体３１の前縁部分から後縁部分に向かって漸次大きくなるように設定されているので、座板３に適切なクッション性を付与することができる。
【００６７】
座板３に設けられた各貫通孔３１１は、上半部に設けた円筒部分３１１ａと下半部に設けられ下方に向かって拡開する円錐部分３１１ｂとを備えたもので、円筒部分３１１ａと円錐部分３１１ｂとの境界部分には、座板３の上面部分から視認可能な稜線が形成されているため、使用者等が座板３を上面側から見た場合に、貫通孔３１１の円筒部分３１１ａのみが視認されることとなり、座板３の座板本体３１が実際よりも薄肉に見える構造となっている。このため、使用者にスマートな印象を与え得るようになっている。
【００６８】
座板３の目隠し部３２２が、支持フレーム本体２６１の前面と左右側面に添接するように座板本体３１に設けられた壁状のものであるため、組み付け時等において支持フレーム２６と座板３とを容易に位置決めすることができる。
【００６９】
なお、本発明は、以上に詳述した実施形態に限られるものではない。
【００７０】
延出部は、本実施形態に示すようなブラケットに限定されるものではない。例えば、パイプ状のフレームを用いるものであってもよいし、フレーム構造物を用いたものであっても良い。換言すれば、延出部とは、後フレームから離間した位置に軸を設けるためのものであればどのようなものでもよい。
【００７１】
延出部は、対をなすものには限られず、単一のものであってもよいし、３つ以上の複数のものであってもよい。
【００７２】
延出部の設けられる箇所は、本実施形態に示すような後フレームの左右方向中間部に設けられたものには限定されない。しかしながら、本実施形態に示すように、対をなすブラケットにより構成された延出部が後フレームの左右方向中間部に配されるとともに、軸の長手方向寸法が後フレームの長手方向寸法よりも短寸であれば、軸を座板の側端縁、及び側端縁の近傍に露出させない構成を実現することができる。
【００７３】
座板は、本実施形態に示すようなものに限定されない。例えば、座板にクッションを設けたものや、座板に貫通孔を設けていないもの等、種々のものが考えられる。
【００７４】
軸は、本実施形態に示すように座板を支持するための支持フレームに設けられたものに限定されない。例えば、インサート成型等によって座板に軸を直接設けたものや、ブラケット等を介して座板に軸を設けたものなど、種々のものが考えられる。
【００７５】
更に言えば、本発明は、着座面を有した座本体とこの座本体を回転可能にするための軸とを備えてなる座についても適用することができる。
【００７６】
また、軸は、ベース部に設けられたものとしても良い。換言すれば、ベース部に軸を備えたものとするとともに、座にベース部の軸を保持するための軸受けを備えたものとし、座をベース部の軸を介して使用位置と跳ね上げ位置との間で回動させ得るようにしても良い。
【００７７】
本実施形態では、軸の両端部を対をなす延出部によって支持させていたが、軸の両端部以外の部分を延出部によって支持させてもよい。
【００７８】
目隠し部は、側面視において支持フレームの上下方向の全部を包囲するものであってもよい。一方で、目隠し部は、側面視において完全に支持フレームを隠すものでなくても良く、支持フレームと座板との接合部分の近傍に外側方から手指等がアクセスできない程度に包囲したものであればよい。
【００７９】
目隠し部は、本実施形態では壁状のものを示していたが、これに限定されるものではない。例えば、座板に形成された複数の突起を支持フレームの周囲に配することにより目隠し部としてもよい。すなわち、複数の突起を支持フレームに囲繞することにより、支持フレームが複数の突起間から見えるような構成であっても目隠し部の構成に相当するものである。
【００８０】
軸は、本実施形態に示すように、左右の取付ブラケット間に架設されている１本のものに限定されるものではなく、左右のブラケットのそれぞれに個別に軸を挿通し、支持フレームを回転可能に支持させるようにしてもよい。すなわち、複数の軸を介して座板を回動させ得るようにしたものであってもよい。
【００８１】
その他、各部の具体的構成についても上記実施形態に限られるものではなく、本発明の趣旨を逸脱しない範囲で種々変形が可能である。
【符号の説明】
【００８２】
１…椅子
３…座板
２４…側フレーム
２３…後フレーム
２６２…軸
３２３…延出部（取付ブラケット）
（Ｕ）…使用位置
（Ｊ）…跳ね上げ位置
【図１】
0005665046.tif 000002
【図２】
0005665046.tif 000003
【図３】
0005665046.tif 000004
【図４】
0005665046.tif 000005
【図５】
0005665046.tif 000006
【図６】
0005665046.tif 000007
【図７】
0005665046.tif 000008
【図８】
0005665046.tif 000009
【図９】
0005665046.tif 000010
【図１０】
0005665046.tif 000011
【図１１】
0005665046.tif 000012